(57)【特許請求の範囲】
【請求項１】
異なる帯域上のチャネル間で切り替えるための方法であって、
ベースチャネル上でワイヤレスデバイスと通信することと、
前記ワイヤレスデバイスにチャネル切替え要求を送信することと、
前記ワイヤレスデバイスから確認応答を受信することと、
６０ＧＨｚチャネルに切り替える前に前記６０ＧＨｚチャネルのチャネル特性を判断するために前記６０ＧＨｚチャネル上でテストフレームを送信することと、
前記ワイヤレスデバイスと通信するために前記６０ＧＨｚチャネルに切り替えることと
を備える方法。
【請求項２】
前記ワイヤレスデバイスがアクセスポイント（ＡＰ）である、請求項１に記載の方法。
【請求項３】
前記ワイヤレスデバイスが加入者局（ＳＴＡ）である、請求項１に記載の方法。
【請求項４】
前記方法がアクセスポイント（ＡＰ）によって実行される、請求項１に記載の方法。
【請求項５】
前記方法が加入者局（ＳＴＡ）によって実行される、請求項１に記載の方法。
【請求項６】
前記６０ＧＨｚチャネル上で通信することに切り替えることが、アクセスポイント（ＡＰ）によってトリガされる、請求項１に記載の方法。
【請求項７】
前記６０ＧＨｚチャネル上で通信することに切り替えることが、加入者局（ＳＴＡ）によってトリガされる、請求項１に記載の方法。
【請求項８】
前記６０ＧＨｚチャネルが機能しない場合、前記ベースチャネルに切り替え復帰することをさらに備える、請求項１に記載の方法。
【請求項９】
前記６０ＧＨｚチャネルの物理レイヤ（ＰＨＹ）メトリックに基づいて前記ベースチャネルに切り替え復帰することをさらに備える、請求項１に記載の方法。
【請求項１０】
あらかじめ定義されたウィンドウ内で、成功したフレーム交換が前記６０ＧＨｚチャネル上で行われなかった場合、前記ベースチャネルに切り替え復帰することをさらに備える、請求項１に記載の方法。
【請求項１１】
前記６０ＧＨｚチャネル上で前記ワイヤレスデバイスにデータを送信することをさらに備える、請求項１に記載の方法。
【請求項１２】
前記ベースチャネルが、２．４ＧＨｚで動作する８０２．１１ＷＬＡＮである、請求項１に記載の方法。
【請求項１３】
前記ベースチャネルが、５ＧＨｚで動作する８０２．１１ＷＬＡＮである、請求項１に記載の方法。
【請求項１４】
前記チャネル切替え要求がトンネルドダイレクトリンクセットアップ（ＴＤＬＳ）チャネル切替え応答を備える、請求項１に記載の方法。
【請求項１５】
前記チャネル切替え要求が超高スループット（ＶＨＴ）チャネル切替え要求を備える、請求項１に記載の方法。
【請求項１６】
前記６０ＧＨｚチャネル上で前記ワイヤレスデバイスからデータを受信することをさらに備える、請求項１に記載の方法。
【請求項１７】
前記ワイヤレスデバイスからチャネル切替え応答を受信することをさらに備える、請求項１に記載の方法。
【請求項１８】
前記ワイヤレスデバイスに、前記チャネル切替え応答の受信に確認応答する確認応答を送信することをさらに備える、請求項１７に記載の方法。
【請求項１９】
ショートフレーム間空間の後に前記ワイヤレスデバイスから前記確認応答が受信され、前記６０ＧＨｚチャネル上で前記ワイヤレスデバイスと通信する前に少なくとも切替え時間、プローブ時間、およびバックオフ時間待機することをさらに備え、前記切替え時間が、切替えが行われるための時間期間である、請求項１に記載の方法。
【請求項２０】
前記切替え時間後の第２の時間期間内に前記６０ＧＨｚチャネル上で通信が開始されないとき、前記ベースチャネルに切り替え復帰することをさらに備える、請求項１９に記載の方法。
【請求項２１】
前記６０ＧＨｚチャネル上で加入者局にハローフレームを送信する前に少なくとも切替え時間待機することをさらに備え、前記切替え時間が、切替えが行われるためのあらかじめ定義された時間期間である、請求項１に記載の方法。
【請求項２２】
アクセスポイント（ＡＰ）と通信する前に切替え時間、プローブ時間、およびバックオフ時間待機することをさらに備える、請求項５に記載の方法。
【請求項２３】
前記６０ＧＨｚチャネル上で前記ワイヤレスデバイスとの不良接続が検出されたとき、前記ワイヤレスデバイスにロバスト物理レイヤ（ＰＨＹ）信号を繰り返し送信することをさらに備え、同様のロバストＰＨＹ信号が前記ワイヤレスデバイスから受信されるか、または前記ベースチャネル上で前記ワイヤレスデバイスから継続フレームが受信されるまで、前記ロバストＰＨＹ信号が繰り返し送信される、請求項１に記載の方法。
【請求項２４】
異なる帯域上のチャネル間で切り替えるための方法であって、
ベースチャネル上でワイヤレスデバイスと通信することと、
前記ワイヤレスデバイスからチャネル切替え要求を受信することと、
前記ワイヤレスデバイスに確認応答を送信することと、
前記ワイヤレスデバイスにチャネル切替え応答フレームを送信することと、
前記ワイヤレスデバイスから確認応答を受信することと、
６０ＧＨｚチャネルに切り替える前に前記６０ＧＨｚチャネルのチャネル特性を判断するために前記６０ＧＨｚチャネル上でテストフレームを送信することと、
前記ワイヤレスデバイスと通信するために前記６０ＧＨｚチャネルに切り替えることと、
前記６０ＧＨｚチャネル上で前記ワイヤレスデバイスにハローフレームを送信する前に少なくとも切替え時間待機すること、ここで前記切替え時間は切替えが行われるためのあらかじめ定義された時間期間である、
を備える方法。
【請求項２５】
前記ワイヤレスデバイスがアクセスポイント（ＡＰ）である、請求項２４に記載の方法。
【請求項２６】
前記ワイヤレスデバイスが加入者局（ＳＴＡ）である、請求項２４に記載の方法。
【請求項２７】
前記方法がアクセスポイント（ＡＰ）によって実行される、請求項２４に記載の方法。
【請求項２８】
前記方法が加入者局（ＳＴＡ）によって実行される、請求項２４に記載の方法。
【請求項２９】
前記６０ＧＨｚチャネル上で通信することに切り替えることが、アクセスポイント（ＡＰ）によってトリガされる、請求項２４に記載の方法。
【請求項３０】
前記６０ＧＨｚチャネル上で通信することに切り替えることが、加入者局（ＳＴＡ）によってトリガされる、請求項２４に記載の方法。
【請求項３１】
前記６０ＧＨｚチャネルが機能しない場合、前記ベースチャネルに切り替え復帰することをさらに備える、請求項２４に記載の方法。
【請求項３２】
前記６０ＧＨｚチャネルの物理レイヤ（ＰＨＹ）メトリックに基づいて前記ベースチャネルに切り替え復帰することをさらに備える、請求項２４に記載の方法。
【請求項３３】
あらかじめ定義されたウィンドウ内で、成功したフレーム交換が前記６０ＧＨｚチャネル上で行われなかった場合、前記ベースチャネルに切り替え復帰することをさらに備える、請求項２４に記載の方法。
【請求項３４】
前記６０ＧＨｚチャネル上で前記ワイヤレスデバイスにデータを送信することをさらに備える、請求項２４に記載の方法。
【請求項３５】
前記ベースチャネルが、２．４ＧＨｚで動作する８０２．１１ＷＬＡＮである、請求項２４に記載の方法。
【請求項３６】
前記ベースチャネルが、５ＧＨｚで動作する８０２．１１ＷＬＡＮである、請求項２４に記載の方法。
【請求項３７】
前記チャネル切替え要求がトンネルドダイレクトリンクセットアップ（ＴＤＬＳ）チャネル切替え応答を備える、請求項２４に記載の方法。
【請求項３８】
前記チャネル切替え要求が超高スループット（ＶＨＴ）チャネル切替え要求を備える、請求項２４に記載の方法。
【請求項３９】
前記６０ＧＨｚチャネル上で前記ワイヤレスデバイスからデータを受信することをさらに備える、請求項２４に記載の方法。
【請求項４０】
前記ベースチャネル上で前記ワイヤレスデバイスから継続フレームが受信された場合、前記ベースチャネル上で前記ワイヤレスデバイスと通信することに切り替え復帰すること
をさらに備える、請求項２４に記載の方法。
【請求項４１】
前記ワイヤレスデバイスとの不良接続が検出されたとき、物理レイヤ（ＰＨＹ）信号を送信することをさらに備える、請求項２４に記載の方法。
【請求項４２】
ワイヤレス通信システムにおいて異なる帯域上のチャネル間で切り替えるように構成された装置であって、
プロセッサと、
ベースチャネル上でワイヤレスデバイスと通信し、
前記ワイヤレスデバイスにチャネル切替え要求を送信し、
前記ワイヤレスデバイスから確認応答を受信し、
６０ＧＨｚチャネルに切り替える前に前記６０ＧＨｚチャネルのチャネル特性を判断するために前記６０ＧＨｚチャネル上でテストフレームを送信し、
前記ワイヤレスデバイスと通信するために前記６０ＧＨｚチャネルに切り替える
ように構成された前記プロセッサに結合された回路と
を備える装置。
【請求項４３】
前記ワイヤレスデバイスがアクセスポイント（ＡＰ）である、請求項４２に記載の装置。
【請求項４４】
前記ワイヤレスデバイスが加入者局（ＳＴＡ）である、請求項４２に記載の装置。
【請求項４５】
前記装置がアクセスポイント（ＡＰ）である、請求項４２に記載の装置。
【請求項４６】
前記装置が加入者局（ＳＴＡ）である、請求項４２に記載の装置。
【請求項４７】
ワイヤレス通信システムにおいて異なる帯域上のチャネル間で切り替えるように構成された装置であって、
プロセッサと、
ベースチャネル上でワイヤレスデバイスと通信し、
前記ワイヤレスデバイスからチャネル切替え要求を受信し、
前記ワイヤレスデバイスに確認応答を送信し、
前記ワイヤレスデバイスにチャネル切替え応答フレームを送信し、
前記ワイヤレスデバイスから確認応答を受信し、
６０ＧＨｚチャネルに切り替える前に前記６０ＧＨｚチャネルのチャネル特性を判断するために前記６０ＧＨｚチャネル上でテストフレームを送信し、
前記ワイヤレスデバイスと通信するために前記６０ＧＨｚチャネルに切り替え、
前記６０ＧＨｚチャネル上で前記ワイヤレスデバイスにハローフレームを送信する前に少なくとも切替え時間待機する、ここで前記切替え時間は切替えが行われるためのあらかじめ定義された時間期間である、
ように構成された前記プロセッサに結合された回路と
を備える装置。
【請求項４８】
前記ワイヤレスデバイスがアクセスポイント（ＡＰ）である、請求項４７に記載の装置。
【請求項４９】
前記ワイヤレスデバイスが加入者局（ＳＴＡ）である、請求項４７に記載の装置。
【請求項５０】
前記装置がアクセスポイント（ＡＰ）である、請求項４７に記載の装置。
【請求項５１】
前記装置が加入者局（ＳＴＡ）である、請求項４７に記載の装置。
【請求項５２】
ワイヤレス通信システムにおいて異なる帯域上のチャネル間で切り替えるように構成された装置であって、
ベースチャネル上でワイヤレスデバイスと通信するための手段と、
前記ワイヤレスデバイスにチャネル切替え要求を送信するための手段と、
前記ワイヤレスデバイスから確認応答を受信するための手段と、
６０ＧＨｚチャネルに切り替える前に前記６０ＧＨｚチャネルのチャネル特性を判断するために前記６０ＧＨｚチャネル上でテストフレームを送信する手段と、
前記ワイヤレスデバイスと通信するために前記６０ＧＨｚチャネルに切り替えるための手段と
を備える装置。
【請求項５３】
ワイヤレス通信システムにおいて異なる帯域上のチャネル間で切り替えるように構成された装置であって、
ベースチャネル上でワイヤレスデバイスと通信するための手段と、
前記ワイヤレスデバイスからチャネル切替え要求を受信するための手段と、
前記ワイヤレスデバイスに確認応答を送信するための手段と、
前記ワイヤレスデバイスにチャネル切替え応答を送信するための手段と、
前記ワイヤレスデバイスから確認応答を受信するための手段と、
６０ＧＨｚチャネルに切り替える前に前記６０ＧＨｚチャネルのチャネル特性を判断するために前記６０ＧＨｚチャネル上でテストフレームを送信する手段と、
前記ワイヤレスデバイスと通信するために前記６０ＧＨｚチャネルに切り替えるための手段と、
前記６０ＧＨｚチャネル上で前記ワイヤレスデバイスにハローフレームを送信する前に少なくとも切替え時間待機するための手段、ここで前記切替え時間は切替えが行われるためのあらかじめ定義された時間期間である、
を備える装置。
【請求項５４】
ワイヤレス通信システムにおいて異なる帯域上のチャネル間で切り替えるためのコンピュータプログラム製品であって、命令を有するコンピュータ可読媒体に前記コンピュータプログラム製品が対応するものであり、前記命令が、
ベースチャネル上でワイヤレスデバイスと通信するためのコードと、
前記ワイヤレスデバイスにチャネル切替え要求を送信するためのコードと、
前記ワイヤレスデバイスから確認応答を受信するためのコードと、
６０ＧＨｚチャネルに切り替える前に前記６０ＧＨｚチャネルのチャネル特性を判断するために前記６０ＧＨｚチャネル上でテストフレームを送信するためのコードと、
前記ワイヤレスデバイスと通信するために前記６０ＧＨｚチャネルに切り替えるためのコード
を備える、コンピュータプログラム製品。
【請求項５５】
ワイヤレス通信システムにおいて異なる帯域上のチャネル間で切り替えるためのコンピュータプログラム製品であって、命令を有するコンピュータ可読媒体に前記コンピュータプログラム製品が対応するものであり、前記命令が、
ベースチャネル上でワイヤレスデバイスと通信するためのコードと、
前記ワイヤレスデバイスからチャネル切替え要求を受信するためのコードと、
前記ワイヤレスデバイスに確認応答を送信するためのコードと、
前記ワイヤレスデバイスにチャネル切替え応答を送信するためのコードと、
前記ワイヤレスデバイスから確認応答を受信するためのコードと、
６０ＧＨｚチャネルに切り替える前に前記６０ＧＨｚチャネルのチャネル特性を判断するために前記６０ＧＨｚチャネル上でテストフレームを送信するためのコードと、
前記ワイヤレスデバイスと通信するために前記６０ＧＨｚチャネルに切り替えるためのコードと、
前記６０ＧＨｚチャネル上で前記ワイヤレスデバイスにハローフレームを送信する前に少なくとも切替え時間待機するためのコード、ここで前記切替え時間は切替えが行われるためのあらかじめ定義された時間期間である、
を備える、コンピュータプログラム製品。
【請求項５６】
６０ＧＨｚ帯域をテストするための方法であって、
ベースチャネル上でワイヤレスデバイスと通信することと、
省電力モードを示す信号を送信することと、
６０ＧＨｚチャネルに切り替えることと、
前記ワイヤレスデバイスにテスト信号を送信することと
を備える方法。
【請求項５７】
前記ワイヤレスデバイスがアクセスポイント（ＡＰ）である、請求項５６に記載の方法。
【請求項５８】
前記テスト信号がロバスト物理レイヤ（ＰＨＹ）モードを使用する、請求項５６に記載の方法。
【請求項５９】
異なる帯域上のチャネル間で切り替えるための方法であって、
ダイレクトリンク上の６０ＧＨｚチャネル上でワイヤレスデバイスと通信することと、
前記６０ＧＨｚチャネル上の通信が機能しないことに応答して、ベースチャネルに切り替えることと、
前記ワイヤレスデバイスにテスト信号を送信することと,
前記ワイヤレスデバイスに継続フレームを送信することと
を備える方法。
【請求項６０】
前記切り替えることが前記６０ＧＨｚチャネルのパフォーマンスメトリックに基づく、請求項５９に記載の方法。
【請求項６１】
前記通信が前記ベースチャネル上で継続される、請求項５９に記載の方法。
【請求項６２】
６０ＧＨｚ帯域をテストするための装置であって、
ベースチャネル上でワイヤレスデバイスと通信するための手段と、
省電力モードを示す信号を送信するための手段と、
６０ＧＨｚチャネルに切り替えるための手段と、
前記ワイヤレスデバイスにテスト信号を送信するための手段
を備える装置。
【請求項６３】
前記ワイヤレスデバイスがアクセスポイント（ＡＰ）である、請求項６２に記載の装置。
【請求項６４】
前記テスト信号がロバスト物理レイヤ（ＰＨＹ）モードを使用する、請求項６２に記載の装置。
【請求項６５】
６０ＧＨｚ帯域をテストするためのコンピュータプログラム製品であって、命令を有するコンピュータ可読媒体に前記コンピュータプログラム製品が対応するものであり、前記命令が、
ベースチャネル上でワイヤレスデバイスと通信するためのコードと、
省電力モードを示す信号を送信するためのコードと、
６０ＧＨｚチャネルに切り替えるためのコードと、
前記ワイヤレスデバイスにテスト信号を送信するためのコード
を備える、コンピュータプログラム製品。
【請求項６６】
前記ワイヤレスデバイスがアクセスポイント（ＡＰ）である、請求項６５に記載のコンピュータプログラム製品。
【請求項６７】
前記テスト信号がロバスト物理レイヤ（ＰＨＹ）モードを使用する、請求項６５に記載のコンピュータプログラム製品。
【請求項６８】
前記チャネル切替え要求がトンネルドダイレクトリンクセットアップ（ＴＤＬＳ）チャネル切替え応答を備える、請求項５２に記載の装置。
【請求項６９】
前記６０ＧＨｚチャネル上で加入者局にハローフレームを送信する前に少なくとも切替え時間待機するための手段をさらに備え、前記切替え時間が、切替えが行われるためのあらかじめ定義された時間期間である、請求項５２に記載の装置。
【請求項７０】
前記６０ＧＨｚチャネル上で通信することに切り替えることが、アクセスポイント（ＡＰ）によってトリガされる、請求項５３に記載の装置。
【請求項７１】
前記６０ＧＨｚチャネル上で通信することに切り替えることが、加入者局（ＳＴＡ）によってトリガされる、請求項５３に記載の装置。
【請求項７２】
前記チャネル切替え要求がトンネルドダイレクトリンクセットアップ（ＴＤＬＳ）チャネル切替え応答を備える、請求項５４に記載のコンピュータプログラム製品。
【請求項７３】
前記６０ＧＨｚチャネル上で加入者局にハローフレームを送信する前に少なくとも切替え時間待機するためのコードをさらに備え、前記切替え時間が、切替えが行われるためのあらかじめ定義された時間期間である、請求項５４に記載のコンピュータプログラム製品。
【請求項７４】
前記６０ＧＨｚチャネル上で通信することに切り替えることが、アクセスポイント（ＡＰ）によってトリガされる、請求項５５に記載のコンピュータプログラム製品。
【請求項７５】
前記６０ＧＨｚチャネル上で通信することに切り替えることが、加入者局（ＳＴＡ）によってトリガされる、請求項５５に記載のコンピュータプログラム製品。
【発明の詳細な説明】
【技術分野】
【０００１】
関連出願
本出願は、本参照により本明細書に明確に組み込まれる、２００８年８月２０日に出願された「Systems and Methods for Switching Between a Base Channel and a 60 GHz Channel」と題する米国仮特許出願第６１／０９０，３３４号の利益を主張する。
【０００２】
本開示は、一般にワイヤレス通信システムに関する。より詳細には、本開示は、ベースチャネルと６０ＧＨｚチャネルとの間で切り替えるための方法および装置に関する。
【背景技術】
【０００３】
ワイヤレス通信デバイスは、消費者のニーズを満たし、携帯性と利便性とを高めるために、より小さく、より強力になった。消費者は、携帯電話、携帯情報端末（ＰＤＡ）、ラップトップコンピュータなどのワイヤレス通信デバイスに依存するようになった。消費者は、信頼できるサービス、カバレージエリアの拡大、および機能の増加を期待するようになった。ワイヤレス通信デバイスは、移動局、加入者局、アクセス端末、リモート局、ユーザ端末、端末、加入者ユニット、ユーザ機器などと呼ばれることがある。本明細書では、「加入者局」という用語を使用する。
【０００４】
ワイヤレス通信システムは、いくつかのセルに通信を与えることができ、各セルは基地局によってサービスされ得る。基地局は、移動局と通信する固定局とすることができる。基地局は、代替的に、アクセスポイント、ノードＢ、または何らかの他の用語で呼ばれることがある。
【０００５】
加入者局は、アップリンクおよびダウンリンク上の伝送を介して１つまたは複数の基地局と通信することができる。アップリンク（または逆方向リンク）は、加入者局から基地局への通信リンクを指し、ダウンリンク（または順方向リンク）は、基地局から加入者局への通信リンクを指す。ワイヤレス通信システムは、複数の加入者局のための通信を同時にサポートすることができる。
【０００６】
ワイヤレス通信システムは、利用可能なシステムリソース（たとえば、帯域幅および送信電力）を共有することによって複数のユーザとの通信をサポートすることが可能な多元接続システムとすることができる。そのような多元接続システムの例には、符号分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システム、および空間分割多元接続（ＳＤＭＡ）がある。
【図面の簡単な説明】
【０００７】
【図１】ベースチャネルまたは６０ＧＨｚチャネルのいずれかの上で複数の加入者局（ＳＴＡ）とワイヤレス電子通信しているアクセスポイント（ＡＰ）を含むシステムを示す図。
【図２】ワイヤレス電子通信しているＡＰとＳＴＡとを含むシステムを示す図。
【図３】互いにワイヤレス電子通信している２つのＳＴＡを含むシステムを示す図。
【図４】ベースチャネルから６０ＧＨｚチャネルへのトンネルドダイレクトリンクセットアップ（ＴＤＬＳ）チャネル切替え中の加入者局ＳＴＡ１と加入者局ＳＴＡ２との間の送信方式のシステムを示す図。
【図５】ベースチャネルから６０ＧＨｚチャネルへの超高スループット（ＶＨＴ）チャネル切替え中の加入者局ＳＴＡ１と加入者局ＳＴＡ２との間の送信方式のためのシステムを示す図。
【図６】加入者局（ＳＴＡ）とアクセスポイント（ＡＰ）との間の送信方式のためのシステムであって、ＳＴＡがＴＤＬＳチャネル切替え要求を使用してベースチャネルから６０ＧＨｚチャネルへのチャネル切替えをシグナリングする、システムを示す図。
【図７】加入者局（ＳＴＡ）とアクセスポイント（ＡＰ）との間の送信方式のためのシステムであって、ＳＴＡがＶＨＴチャネル切替え要求を使用してベースチャネルから６０ＧＨｚチャネルへのチャネル切替えをシグナリングする、システムを示す図。
【図８】加入者局（ＳＴＡ）とアクセスポイント（ＡＰ）との間の送信方式のためのシステムであって、ＡＰがＴＤＬＳチャネル切替え要求を使用してベースチャネルから６０ＧＨｚチャネルへのチャネル切替えをシグナリングする、システムを示す図。
【図９】加入者局（ＳＴＡ）とアクセスポイント（ＡＰ）との間の送信方式のためのシステムであって、ＡＰがＶＨＴチャネル切替え要求を使用してベースチャネルから６０ＧＨｚチャネルへのチャネル切替えをシグナリングする、システムを示す図。
【図１０】加入者局ＳＴＡ１がＴＬＤＳチャネル切替え要求を使用してベースチャネル上で加入者局ＳＴＡ２と通信することから６０ＧＨｚチャネル上でＳＴＡ２と通信することへの切替えをトリガする方法を示す流れ図。
【図１１】図１０の方法に対応するミーンズプラスファンクションブロックを示す図。
【図１２】加入者局ＳＴＡ１が超高スループット（ＶＨＴ）チャネル切替え要求を使用してベースチャネル上で加入者局ＳＴＡ２と通信することから６０ＧＨｚチャネル上でＳＴＡ２と通信することへの切替えをトリガする方法を示す流れ図。
【図１３】図１２の方法に対応するミーンズプラスファンクションブロックを示す図。
【図１４】加入者局ＳＴＡが、ＴＤＬＳチャネル切替え要求を使用してベースチャネル上でＡＰと通信することから６０ＧＨｚチャネル上でＡＰと通信することに切り替えるようにアクセスポイントＡＰによってトリガされる方法を示す流れ図。
【図１５】図１４の方法に対応するミーンズプラスファンクションブロックを示す図。
【図１６】加入者局ＳＴＡが、超高スループット（ＶＨＴ）チャネル切替え要求を使用してベースチャネル上でＡＰと通信することから６０ＧＨｚチャネル上でＡＰと通信することに切り替えるようにアクセスポイントＡＰによってトリガされる方法を示す流れ図。
【図１７】図１６の方法に対応するミーンズプラスファンクションブロックを示す図。
【図１８】アクセスポイントＡＰが、ＴＤＬＳチャネル切替え要求を使用してベースチャネル上でＳＴＡと通信することから６０ＧＨｚチャネル上でＳＴＡと通信することに切り替えるように加入者局ＳＴＡによってトリガされる方法を示す流れ図。
【図１９】図１８の方法に対応するミーンズプラスファンクションブロックを示す図。
【図２０】アクセスポイントＡＰが、ＶＨＴチャネル切替え要求を使用してベースチャネル上でＳＴＡと通信することから６０ＧＨｚチャネル上でＳＴＡと通信することに切り替えるように加入者局ＳＴＡによってトリガされる方法を示す流れ図。
【図２１】図２０の方法に対応するミーンズプラスファンクションブロックを示す図。
【図２２】ワイヤレスデバイスにおいて利用できる様々な構成要素を示す図。
【詳細な説明】
【０００８】
異なる帯域上のチャネル間で切り替えるための方法について説明する。本方法は、ベースチャネル上でワイヤレスデバイスと通信することを含む。ワイヤレスデバイスにチャネル切替え要求を送信する。ワイヤレスデバイスから確認応答を受信する。本方法はまた、ワイヤレスデバイスと通信するために６０ＧＨｚチャネルに切り替えることを含む。
【０００９】
ワイヤレスデバイスはアクセスポイント（ＡＰ）とすることができる。ワイヤレスデバイスは加入者局（ＳＴＡ）とすることができる。本方法はＡＰによって実行できる。本方法はまた、加入者局（ＳＴＡ）によって実行できる。６０ＧＨｚチャネル上で通信することに切り替えることは、アクセスポイント（ＡＰ）によってトリガできる。６０ＧＨｚチャネル上で通信することに切り替えることはまた、加入者局（ＳＴＡ）によってトリガできる。
【００１０】
本方法は、６０ＧＨｚチャネルが機能しない場合、ベースチャネルに切り替え復帰することを含む。本方法はまた、６０ＧＨｚチャネルの物理レイヤ（ＰＨＹ）メトリックに基づいてベースチャネルに切り替え復帰することを含む。本方法はさらに、あらかじめ定義されたウィンドウ内で、成功したフレーム交換が６０ＧＨｚチャネル上で行われなかった場合、ベースチャネルに切り替え復帰することを含む。６０ＧＨｚチャネルに切り替える前に６０ＧＨｚチャネルのチャネル特性を判断するために６０ＧＨｚチャネル上でテストフレームを送信する。６０ＧＨｚチャネル上でワイヤレスデバイスにデータを送信する。ベースチャネルは、２．４ＧＨｚで動作する８０２．１１ＷＬＡＮとすることができる。代替的に、ベースチャネルは、５ＧＨｚで動作する８０２．１１ＷＬＡＮとすることができる。
【００１１】
チャネル切替え要求はトンネルドダイレクトリンクセットアップ（ＴＤＬＳ）チャネル切替え応答を含むことができる。チャネル切替え要求は超高スループット（ＶＨＴ）チャネル切替え要求を含むことができる。６０ＧＨｚチャネル上でワイヤレスデバイスからデータを受信する。ワイヤレスデバイスからチャネル切替え応答を受信する。ワイヤレスデバイスに、チャネル切替え応答の受信に確認応答する確認応答を送信する。
【００１２】
本方法はさらに、６０ＧＨｚチャネル上で加入者局と通信する前に少なくとも切替え時間待機することを含む。ここで、切替え時間は、切替えが行われるためのあらかじめ定義された時間期間である。本方法はまた、切替え時間後のあらかじめ定義された時間期間内に６０ＧＨｚチャネル上で通信が開始されないとき、ベースチャネルに切り替え復帰することを含む。本方法はさらに、６０ＧＨｚチャネル上で加入者局にハローフレームを送信する前に少なくとも切替え時間待機することを含む。ここで、切替え時間は、切替えが行われるためのあらかじめ定義された時間期間である。本方法はまた、アクセスポイント（ＡＰ）と通信する前に切替え時間、プローブ時間、およびバックオフ時間待機することを含む。
【００１３】
ワイヤレスデバイスとの不良接続が検出されたとき、物理レイヤ（ＰＨＹ）信号を送信することができる。本方法はまた、ベースチャネル上および６０ＧＨｚチャネル上で同時に通信することを含む。本方法は、ベースチャネル上でワイヤレスデバイスから継続フレームが受信された場合、ベースチャネル上でワイヤレスデバイスと通信することに切り替え復帰することを含む。
【００１４】
また、異なる帯域上のチャネル間で切り替えるための方法について説明する。本方法は、ベースチャネル上でワイヤレスデバイスと通信することを含む。ワイヤレスデバイスからチャネル切替え要求を受信する。ワイヤレスデバイスに確認応答を送信する。また、ワイヤレスデバイスにチャネル切替え応答フレームを送信する。ワイヤレスデバイスから確認応答を受信する。本方法はまた、ワイヤレスデバイスと通信するために６０ＧＨｚチャネルに切り替えることを含む。
【００１５】
ワイヤレスデバイスはアクセスポイント（ＡＰ）とすることができる。ワイヤレスデバイスはまた、加入者局（ＳＴＡ）とすることができる。本方法はアクセスポイント（ＡＰ）によって実行できる。代替的に、本方法は加入者局（ＳＴＡ）によって実行できる。６０ＧＨｚチャネル上で通信することに切り替えることは、アクセスポイント（ＡＰ）によってトリガできる。６０ＧＨｚチャネル上で通信することに切り替えることはまた、加入者局（ＳＴＡ）によってトリガできる。
【００１６】
本方法は、６０ＧＨｚチャネルが機能しない場合、ベースチャネルに切り替え復帰することを含む。本方法はまた、６０ＧＨｚチャネルの物理レイヤ（ＰＨＹ）メトリックに基づいてベースチャネルに切り替え復帰することを含む。本方法はさらに、あらかじめ定義されたウィンドウ内で、成功したフレーム交換が６０ＧＨｚチャネル上で行われなかった場合、ベースチャネルに切り替え復帰することを含む。６０ＧＨｚチャネル上でワイヤレスデバイスにデータを送信する。ベースチャネルは、２．４ＧＨｚで動作する８０２．１１ＷＬＡＮとすることができる。代替的に、ベースチャネルは、５ＧＨｚで動作する８０２．１１ＷＬＡＮとすることができる。
【００１７】
チャネル切替え要求はトンネルドダイレクトリンクセットアップ（ＴＤＬＳ）チャネル切替え応答を含むことができる。チャネル切替え要求はまた、超高スループット（ＶＨＴ）チャネル切替え要求を含むことができる。６０ＧＨｚチャネル上でワイヤレスデバイスからデータを受信する。本方法はまた、６０ＧＨｚチャネル上で加入者局と通信する前に少なくとも切替え時間待機することを含む。ここで、切替え時間は、切替えが行われるためのあらかじめ定義された時間期間である。本方法はさらに、６０ＧＨｚチャネル上で加入者局にハローフレームを送信する前に少なくとも切替え時間待機することを含む。ここで、切替え時間は、切替えが行われるためのあらかじめ定義された時間期間である。
【００１８】
本方法はまた、ベースチャネル上でワイヤレスデバイスから継続フレームが受信された場合、ベースチャネル上でワイヤレスデバイスと通信することに切り替え復帰することを含む。ワイヤレスデバイスとの不良接続が検出されたとき、物理レイヤ（ＰＨＹ）信号を送信することができる。
【００１９】
ワイヤレス通信システムにおいて異なる帯域上のチャネル間で切り替えるように構成された装置について説明する。本装置はプロセッサを含むことができる。本装置はまた、そのプロセッサに結合された回路を含むことができる。回路は、ベースチャネル上でワイヤレスデバイスと通信するように構成できる。回路はまた、ワイヤレスデバイスにチャネル切替え要求を送信するように構成できる。回路はさらに、ワイヤレスデバイスから確認応答を受信するように構成できる。回路はまた、ワイヤレスデバイスと通信するために６０ＧＨｚチャネルに切り替えるように構成できる。ワイヤレスデバイスはアクセスポイント（ＡＰ）とすることができる。代替的に、ワイヤレスデバイスは加入者局（ＳＴＡ）とすることができる。本装置はアクセスポイント（ＡＰ）とすることができる。代替的に、本装置は加入者局（ＳＴＡ）とすることができる。
【００２０】
ワイヤレス通信システムにおいて異なる帯域上のチャネル間で切り替えるように構成された装置について説明する。本装置はプロセッサを含むことができる。本装置はまた、そのプロセッサに結合された回路を含むことができる。回路は、ベースチャネル上でワイヤレスデバイスと通信するように構成できる。回路はまた、ワイヤレスデバイスからチャネル切替え要求を受信するように構成できる。回路はさらに、ワイヤレスデバイスに確認応答を送信するように構成できる。回路はまた、ワイヤレスデバイスと通信するために６０ＧＨｚチャネルに切り替えるように構成できる。ワイヤレスデバイスはアクセスポイント（ＡＰ）とすることができる。代替的に、ワイヤレスデバイスは加入者局（ＳＴＡ）とすることができる。本装置はアクセスポイント（ＡＰ）とすることができる。代替的に、本装置は加入者局（ＳＴＡ）とすることができる。
【００２１】
また、ワイヤレス通信システムにおいて異なる帯域上のチャネル間で切り替えるように構成された装置について説明する。本装置は、ベースチャネル上でワイヤレスデバイスと通信するための手段を含むことができる。本装置はまた、ワイヤレスデバイスにチャネル切替え要求を送信するための手段を含むことができる。本装置はさらに、ワイヤレスデバイスから確認応答を受信するための手段を含むことができる。本装置はまた、ワイヤレスデバイスと通信するために６０ＧＨｚチャネルに切り替えるための手段を含むことができる。
【００２２】
また、ワイヤレス通信システムにおいて異なる帯域上のチャネル間で切り替えるように構成された装置について説明する。本装置は、ベースチャネル上でワイヤレスデバイスと通信するための手段を含むことができる。本装置はまた、ワイヤレスデバイスからチャネル切替え要求を受信するための手段を含むことができる。本装置はさらに、ワイヤレスデバイスに確認応答を送信するための手段を含むことができる。本装置はまた、ワイヤレスデバイスと通信するために６０ＧＨｚチャネルに切り替えるための手段を含むことができる。
【００２３】
ワイヤレス通信システムにおいて異なる帯域上のチャネル間で切り替えるためのコンピュータプログラム製品について説明する。コンピュータプログラム製品は、その上に命令を有するコンピュータ可読媒体を含むことができる。命令は、ベースチャネル上でワイヤレスデバイスと通信するためのコードを含むことができる。命令はまた、ワイヤレスデバイスにチャネル切替え要求を送信するためのコードを含むことができる。命令はさらに、ワイヤレスデバイスから確認応答を受信するためのコードを含むことができる。命令はまた、ワイヤレスデバイスと通信するために６０ＧＨｚチャネルに切り替えるためのコードを含むことができる。
【００２４】
ワイヤレス通信システムにおいて異なる帯域上のチャネル間で切り替えるためのコンピュータプログラム製品について説明する。コンピュータプログラム製品は、その上に命令を有するコンピュータ可読媒体を含むことができる。命令は、ベースチャネル上でワイヤレスデバイスと通信するためのコードを含むことができる。命令はまた、ワイヤレスデバイスからチャネル切替え要求を受信するためのコードを含むことができる。命令はさらに、ワイヤレスデバイスに確認応答を送信するためのコードを含むことができる。命令はまた、ワイヤレスデバイスと通信するために６０ＧＨｚチャネルに切り替えるためのコードを含むことができる。
【００２５】
また、６０ＧＨｚ帯域をテストするための方法について説明する。本方法は、ベースチャネル上でワイヤレスデバイスと通信することを含む。省電力モードを示す信号を送信する。本方法は、６０ＧＨｚチャネルに切り替えることを含む。ワイヤレスデバイスにテスト信号を送信する。ワイヤレスデバイスはアクセスポイント（ＡＰ）とすることができる。テスト信号はロバスト物理レイヤ（ＰＨＹ）モードを使用することができる。
【００２６】
異なる帯域上のチャネル間で切り替えるための方法について説明する。本方法は、６０ＧＨｚチャネル上でワイヤレスデバイスと通信することを含む。本方法はまた、ベースチャネルに切り替えることを含む。ワイヤレスデバイスに継続フレームを送信する。
【００２７】
切り替えることは、６０ＧＨｚチャネルのパフォーマンスメトリックに基づくことができる。６０ＧＨｚチャネル上での通信が失われたとき、切り替えることを行うことができる。通信はベースチャネル上で継続される。通信は直接リンクを介して行われる。
【００２８】
異なる帯域上のチャネル間で切り替えるための方法について説明する。本方法は、６０ＧＨｚチャネル上でワイヤレスデバイスと通信することを含む。ワイヤレスデバイスにチャネル切替え要求を送信する。ワイヤレスデバイスから確認応答を受信する。本方法はまた、ベースチャネルに切り替えることを含む。
【００２９】
切り替えることは、６０ＧＨｚチャネルの物理レイヤ（ＰＨＹ）メトリックに基づくことができる。切り替えることはまた、６０ＧＨｚチャネルのパフォーマンスメトリックに基づくことができる。ロバストＰＨＹモードを使用してチャネル切替え要求フレームを送信することができる。
【００３０】
米国電気電子技術者協会（ＩＥＥＥ）８０２．１１ワーキンググループは、２．４ＧＨｚ、５ＧＨｚ、および６０ＧＨｚ公衆スペクトル帯域におけるワイヤレスローカルエリアネットワーク（ＷＬＡＮ）コンピュータ通信のための正式な規格を準備することを目指している。
【００３１】
ＩＥＥＥ８０２．１１グループは、現在、ＶＨＴ（超高スループット）の名称の下で、８０２．１１の新しくより高速なバージョンを標準化することを研究している。このグループでは、ＳＤＭＡおよびＯＦＤＭＡのように、衝突を引き起こすことなしに多重送信が並列に行われることを可能にする技術が検討されている。ＩＥＥＥ８０２．１１グループは、既存の２．４ＧＨｚおよび５ＧＨｚ帯域の次に、６０ＧＨｚ帯域におけるＩＥＥＥ８０２．１１動作を定義することを検討している。
【００３２】
ＩＥＥＥ８０２．１１システムは、一般に２．４ＧＨｚおよび５ＧＨｚチャネルにおいて動作する。８０２．１１用の６０ＧＨｚチャネルの公開とともに、ワイヤレスデバイスは、６０ＧＨｚチャネルと２．４／５ＧＨｚベースチャネルの両方の上で通信することができる。６０ＧＨｚチャネル上での通信は、ギガビット毎秒（Ｇｂｐｓ）スループットの可能性を生じることができる。しかしながら、６０ＧＨｚ物理レイヤは、６０ＧＨｚチャネル上のリンクが不意に破損するようなオン／オフ挙動を有することがある。
【００３３】
図１に、ベースチャネルまたは６０ＧＨｚチャネルのいずれかの上で複数の加入者局（ＳＴＡ）１０４、１０６とワイヤレス電子通信しているアクセスポイント（ＡＰ）１０２を含むシステム１００を示す。アクセスポイント１０２は基地局とすることができる。加入者局１０４、１０６は、モバイルフォンおよびワイヤレスネットワーキングカードなどの移動局とすることができる。加入者局１０４、１０６はまた、ベースチャネルまたは６０ＧＨｚチャネルのいずれかの上で互いに電子通信することができる。ベースチャネルは２．４ＧチャネルＨｚまたは５ＧＨｚチャネルとすることができる。
【００３４】
ＡＰ１０２は、デュアルＭＡＣを使用してベースチャネルと６０ＧＨｚチャネルの両方の上で同時に動作することができる。ＳＴＡは、一度に１つの帯域上で動作することのみが要求され得る。
【００３５】
図２に、ワイヤレス電子通信しているＡＰ２０２とＳＴＡ２０６とを含むシステム２００を示す。ＡＰ２０２は、ベースチャネル２１２と６０ＧＨｚチャネル２１０の両方の上で同時に動作することができる。ＳＴＡ２０６は、一度に１つのチャネル上のみで動作することができ、したがってベースチャネル２１２上で動作するかまたは６０ＧＨｚチャネル２１０上で動作するかのいずれかである。６０ＧＨｚチャネル２１０は、２．４／５ＧＨｚにおける８０２．１１ベースチャネル２１２に干渉することはないと仮定される。
【００３６】
６０ＧＨｚチャネル２１０は、６０ＧＨｚチャネル２１０上で通信している２つのデバイス間の距離が十分小さいときにのみ順調に動作する。デバイスが十分に離れている場合、通信はベースチャネル２１２上で行うことができる。したがって、図２において、ＳＴＡ２０６がＡＰ２０２からより大きい距離離れているとき、ＳＴＡ２０６はベースチャネル２１２上でＡＰ２０２と通信する。同様に、ＳＴＡ２０６がＡＰ２０２からより小さい距離離れているとき、ＳＴＡ２０６は６０ＧＨｚチャネル２１０上でＡＰ２０２と通信することができる。図では距離を使用しているが、通信チャネルは、信号対雑音比（ＳＮＲ）、信号強度、およびパケット誤り率（ＰＥＲ）を含む、ベースチャネル上の他の特性にも依存することができる。６０ＧＨｚチャネル２１０上での通信は、ベースチャネル２１２上での通信とは異なるチャネル構成を使用することができる。たとえば、６０ＧＨｚチャネル２１０上での通信は、異なるチャネル幅と、６０ＧＨｚ変調および符号化方式（ＭＣＳ）などの異なるチャネル変調とを使用することができる。６０ＧＨｚチャネル２１０上にはビーコンおよびトラフィック指示マップ（ＴＩＭ）フレームが存在することができる。６０ＧＨｚチャネル２１０上で関連付けることが可能である。ビーコンは、ビーコンが送信された電力を示す情報要素を含むことができる。この情報要素は、アンテナ利得またはチャネル特性で増補できる。
【００３７】
ＳＴＡ２０６は、ＡＰ２０２との通信を６０ＧＨｚチャネル２１０に切り替える前に６０ＧＨｚチャネル２１０の特性を判断するために６０ＧＨｚチャネル２１０上でテストフレームを送信することができる。そのようなチャネル切替えは、低い複雑さを有し、短い中断のみを生じる必要があることがある。ＳＴＡ２０６は、６０ＧＨｚチャネル２１０上でブロードキャストフレームを待つことによって６０ＧＨｚチャネル２１０の特性を判断するためにパッシブスキャンを使用することもできる。
【００３８】
ＳＴＡ２０６は、６０ＧＨｚチャネル２１０のチャネル特性を判断するためにデータフレームを使用することもできる。ＳＴＡ２０６がデータフレームに対する応答を受信しない場合、ＳＴＡ２０６は、６０ＧＨｚチャネル２１０上の不良リンクを推測することができる。ＳＴＡ２０６はまた、６０ＧＨｚチャネル２１０のチャネル特性を判断するためにパッシブスキャンを使用することができる。代替的に、ＳＴＡ２０６は、通常のローミングアルゴリズムの一部としてＳＴＡ２０６によって実行される正規のチャネルスキャンの一部として６０ＧＨｚチャネル２１０をテストすることができる。
【００３９】
ＳＴＡ２０６は、ＳＴＡ２０６が（省電力に入るなど）しばらくの間不在になることをＡＰ２０２に通知した後、６０ＧＨｚチャネル２１０をテストすることもできる。その場合、ＳＴＡ２０６は、テストフレームを送信するために６０ＧＨｚチャネル２１０に移行することができる。そのテストフレームは特殊なロバストＰＨＹモードを使用し、ＡＰ２０２は同様のロバストＰＨＹモードを使用して応答することができる。
【００４０】
ワイヤレスデバイスが６０ＧＨｚチャネル２１０上で通信中であり、６０ＧＨｚチャネル２１０が機能しない場合、ワイヤレスデバイスの各々は、ベースチャネル２１２上で互いに通信することに切り替え復帰することができる。さらに、あらかじめ定義されたウィンドウ内で６０ＧＨｚチャネル２１０上でフレーム交換が成功しなかった場合、ワイヤレスデバイスは、ベースチャネル２１２上で互いに通信することに切り替え復帰することができる。６０ＧＨｚチャネル２１０の物理レイヤ（ＰＨＹ）メトリックがそれを示す場合、いずれのワイヤレスデバイスもベースチャネル２１２に切り替え復帰することができる。たとえば、６０ＧＨｚチャネル２１０のＰＨＹメトリックは、６０ＧＨｚチャネル２１０上で通信が成功した可能性が低いことを示すことがある。いずれかのワイヤレスデバイスが６０ＧＨｚチャネル２１０の低機能を検出した場合、ワイヤレスデバイスはベースチャネル２１２上で通信することに切り替え復帰することができる。ワイヤレスデバイスは、６０ＧＨｚチャネル２１０上の不良接続を示すＰＨＹ信号を別のワイヤレスデバイスに送信することもできる。たとえば、ＡＰ２０２は、６０ＧＨｚチャネル２１０接続が問題を有するかまたは別様に不良であることを示すＰＨＹ信号をＳＴＡ２０６に送信することができる。
【００４１】
ＳＴＡ２０６がベースチャネル２１２に切り替え復帰する必要がある場合、ＳＴＡ２０６は、ＳＴＡ２０６がベースチャネル２１２に切り替えたことを示すためにＡＰ２０２にベースチャネル２１２上で継続フレームを送信することができる。ベースチャネル上で継続フレームを受信すると、ＡＰ２０２は、ベースチャネル２１２上でＳＴＡ２０６と通信することに切り替えることができる。
【００４２】
６０ＧＨｚチャネル２１０上での接続が機能しない場合、ＡＰ２０２が６０ＧＨｚチャネル２１０上でＳＴＡ２０６から同様のロバストＰＨＹ信号を受信するまで、あるいはＡＰ２０２がベースチャネル２１２上でＳＴＡ２０６から継続フレームを受信するまで、ＡＰ２０２は、６０ＧＨｚチャネル２１０上でパニック信号と同様であるＰＨＹ信号を繰り返し送信することもできる。代替的に、あらかじめ定義されたキープアライブウィンドウ中にフレーム交換が成功しなかった場合、ＡＰ２０２およびＳＴＡ２０６は６０ＧＨｚチャネル２１０からベースチャネル２１２に自動的に切り替え復帰することができる。高スループット接続は長いギャップを経験する可能性が低いので、キープアライブウィンドウは比較的短くなる。したがって、指定された時間量の間にフレーム交換が成功しなかった場合、ＡＰ２０２およびＳＴＡ２０６は、ベースチャネル２１２上で通信することに自動的に切り替え復帰することができる。
【００４３】
複数の競争者が６０ＧＨｚチャネル２１０上で単一のＡＰ２０２と通信することができる。ベースチャネル２１２に適用されるキャリア検知多重アクセス／衝突回避（ＣＳＭＡ／ＣＡ）において使用される同じ規則は、６０ＧＨｚチャネル２１０にも適用できる。ただし、６０ＧＨｚ  ＭＡＣは追加の拡張または簡略化を含むことができる。６０ＧＨｚ帯域の１つの利点は、レーダー検出が不要になり得ることである。
【００４４】
６０ＧＨｚへのチャネル切替えは、ＡＰ２０２にさらなる複雑さをもたらすことがある。ＡＰ２０２は、切替えが行われるとき、他のＭＡＣにおいてＭＰＤＵをリキューイングしなければならないことがある。ＡＰ２０２はそれを行うための十分な時間を有することができるが、実装形態は、切替えができるだけスムーズであるようなものとすることができる。ＳＴＡ２０６は複数のチャネル上でアクティブにならないので、ＭＰＤＵのリキューイングは不要である。ただし、異なるチャネルに移行するときにＰＨＹレートおよび／または最大送信機会（ＴＸＯＰ）継続時間が劇的に変化することがあるので、ＳＴＡ２０６は、スケジュールされた総合ＭＰＤＵ（Ａ−ＭＰＤＵ）およびＴＸＯＰを検討しなければならないことがある。
【００４５】
６０ＧＨｚチャネル２１０は、ベースチャネル２１２と同じ基本サービスセット識別子（ＢＳＳＩＤ）を使用することができる。暗号ブロック連鎖メッセージ認証コード（ＣＢＣ−ＭＡＣ）またはＣＣＭＰセキュリティキーをもつカウンタモード（ＣＴＲ）は追加の認証データ（ＡＡＤ）を通してＢＳＳＩＤに依存するので、同じＢＳＳＩＤは実装するのがより容易である。同じＢＳＳＩＤが使用されるときに複数のレガシーデバイスが存在する場合、それらのレガシーデバイスは異なるチャネル上で同じＡＰ２０２を参照することがある。これはレガシーデバイスを混乱させることがある。６０ＧＨｚチャネル２１０上で通信することが可能な局は、６０ＧＨｚ帯域中のＢＳＳＩＤがベースチャネル２１０中のＢＳＳＩＤと同じになることを事前に知り得るので、このことは６０ＧＨｚチャネル２１０には当てはまらない。代替的に、６０ＧＨｚチャネル２１０は異なるＢＳＳＩＤを使用することができる。他方のＢＳＳＩＤは事前に知られ得るので、キーを事前計算し、プリロードすることができる。
【００４６】
６０ＧＨｚチャネル２１０の１つの利点は、ＭＡＣプロトコルがベースチャネル２１２のＭＡＣプロトコルとは異なり得ることである。６０ＧＨｚチャネル２１０のより短いレンジを考慮に入れると、このことにより、より高い効率が可能になる。
【００４７】
図３に、互いにワイヤレス電子通信している２つのＳＴＡ３０４、３０６を含むシステム３００を示す。上述のように、ＳＴＡ３０４、３０６は一度に１つの通信チャネル上のみで動作する。したがって、ＳＴＡ１  ３０４とＳＴＡ２  ３０６との間の距離３０５がより大きくなるにつれて、ＳＴＡ１  ３０４とＳＴＡ２  ３０６の両方はベースチャネル３１２上で互いに通信するようになる。ベースチャネル３１２上の条件（ＳＮＲ、距離、信号強度、ＰＥＲなど）が請け合うとき、ＳＴＡ１  ３０４およびＳＴＡ２  ３０６は、６０ＧＨｚチャネル３１０上で互いに通信することに切り替えることができる。ＳＴＡ１  ３０４は、ベースチャネル３１２と６０ＧＨｚチャネル３１０の両方の上で通信している状態が示されているが、一度にこれらのチャネルの一方の上のみで通信することができる。
【００４８】
加入者局３０４、３０６の少なくとも一方がバックオフをカウントダウンし、テストフレームを送信することができるように、ＳＴＡ１  ３０４およびＳＴＡ２  ３０６は、固定時間量の間、一時的に６０ＧＨｚチャネル３１０に切り替えることによって６０ＧＨｚチャネル３１０の特性を判断することができる。テストフレームは、別のテストフレームによって応答できる。チャネル切替えフレームと同様であるが、６０ＧＨｚチャネル３１０上に固定のステーをもつリンクテスト交換が必要であることがある。ベースチャネル３１２上の測定を外挿することから、６０ＧＨｚチャネル３１０の特性のより不正確な推定が得られることがある。たとえば、ＳＴＡ１  ３０４またはＳＴＡ２  ３０６のいずれかは、２つのデバイス間のベースチャネル３１２における信号損失を推定することができる。これは、受信信号強度を測定し、送信信号電力と予想アンテナ利得との知識を使用することによって行うことができる。送信信号電力およびアンテナ利得は、各局によって別々の管理フレーム中で通信できる。次いで、６０ＧＨｚにおいて予想される信号損失を計算することによって６０ＧＨｚにおけるリンク品質を推定することができる。６０ＧＨｚにおける信号損失を推定するための１つの方法は、ベースチャネル経路損失（ｄＢ単位）を係数２０＊ｌｏｇ１０（６０ｅ９／ベースチャネル周波数）に加算し、ベースチャネルと６０ＧＨｚ帯域との間のアンテナ利得の差の調整を行うことによる。この方法を使用すると、６０ＧＨｚにおける推定される信号損失は、２．４ＧＨｚ産業科学医療用（ＩＳＭ）帯域における信号損失よりも、これらの２つの帯域間でアンテナ利得が等しいとき、約２８ｄＢ大きくなる。
【００４９】
図４に、ベースチャネル２１２から６０ＧＨｚチャネル２１０へのトンネルドダイレクトリンクセットアップ（ＴＤＬＳ）チャネル切替え中の加入者局ＳＴＡ１  ４０４と加入者局ＳＴＡ２  ４０６との間の送信方式のシステム４００を示す。４０８において、ＳＴＡ１  ４０４は、最初に、必要なバックオフ待機する。次いで４１０において、ＳＴＡ１  ４０４はＳＴＡ２  ４０６にＴＤＬＳチャネル切替え要求を送信する。ＴＤＬＳチャネル切替え要求４１０を受信すると、４１２において、ＳＴＡ２  ４０６は、ショートフレーム間空間（ＳＩＦＳ）待機し、その後、４１４において、ＳＴＡ１  ４０４に確認応答（ＡＣＫ）を送信することによってＴＤＬＳチャネル切替え要求４１０に確認応答する。次いで、ＳＴＡ２  ４０６はＴＤＬＳチャネル切替え要求４１０への応答を準備する。たとえば、ＳＴＡ２  ４０６は、ＴＤＬＳチャネル切替え要求４１０を拒否するまたは受け付ける応答を準備することができる。４１６において、ＳＴＡ２  ４０６が応答を準備し、十分なバックオフ時間待機した後、４１８において、ＳＴＡ２  ４０６はＳＴＡ１  ４０４にＴＤＬＳチャネル切替え応答を送信する。ＳＴＡ１  ４０４は、ＴＤＬＳチャネル切替え応答４１８を受信し、ＳＩＦＳ４２０後に４２２においてＡＣＫを送信する。
【００５０】
ＳＴＡ２  ４０６がＴＤＬＳチャネル切替え要求４１０を受け付けたと仮定すると、次いで４２４において、ＳＴＡ１  ４０４およびＳＴＡ２  ４０６はベースチャネル２１２から６０ＧＨｚチャネル２１０に切り替える。ＳＴＡ１  ４０４とＳＴＡ２  ４０６の両方は、６０ＧＨｚチャネル２１０に切り替えるための切替え時間４２６を必要とすることがある。切替え時間４２６は、その間に切替えが行われ得るあらかじめ定義された時間期間とすることができる。次いで、ＳＴＡ１  ４０４とＳＴＡ２  ４０６の両方は、プローブ時間４２８およびバックオフ時間４３０待機し、その後、４３２において、６０ＧＨｚチャネル２１０上での最初の送信を送信／受信する。ＳＴＡ１  ４０４またはＳＴＡ２  ４０６のいずれかが、４３２において６０ＧＨｚチャネル２１０上での最初の送信を送信することができる。代替的に、ＳＴＡ１  ４０４は、ＳＴＡ１  ４０４が首尾よく６０ＧＨｚチャネル２１０に切り替わったことをＳＴＡ２  ４０６に指示する最初の信号を送信することができる。
【００５１】
図５に、ベースチャネル２１２から６０ＧＨｚチャネル２１０への超高スループット（ＶＨＴ）チャネル切替え中の、加入者局ＳＴＡ１  ５０４と加入者局ＳＴＡ２  ５０６との間の送信方式のためのシステム５００を示す。図５は、図４と比較すると６０ＧＨｚチャネル２１０への切替えを高速化することができる簡略化された単一要求／単一応答交換である。５０８において、ＳＴＡ１  ５０４は、最初に、必要なバックオフ待機する。次いで５１０において、ＳＴＡ１  ５０４はＳＴＡ２  ５０６にＶＨＴチャネル切替え要求を送信する。ＶＨＴチャネル切替え要求５１０を受信すると、ＳＴＡ２  ５０６は、５１２においてＳＩＦＳ待機し、その後、５１４においてＳＴＡ１  ５０４にＡＣＫを送信する。次いで５２４において、ＳＴＡ１  ５０４とＳＴＡ２  ５０６の両方は、切替え時間５２６中にベースチャネル２１２から６０ＧＨｚチャネル２１０に切り替える。切替え時間５２６の後に、プローブ時間５２８およびバックオフ５３０が続く。次いで、ＳＴＡ１  ５０４またはＳＴＡ２  ５０６のいずれかが、６０ＧＨｚチャネル２１０上での最初の送信５３２を送信する。
【００５２】
図６に、加入者局（ＳＴＡ）６０４とアクセスポイント（ＡＰ）６０２との間の送信方式のためのシステム６００であって、ＳＴＡ６０４がＴＤＬＳチャネル切替え要求６１０を使用してベースチャネル２１２から６０ＧＨｚチャネル２１０へのチャネル切替えをシグナリングする、システム６００を示す。６０８において、ＳＴＡ６０４は、最初に、必要なバックオフ時間待機する。次いで６１０において、ＳＴＡ６０４はＡＰ６０２にＴＤＬＳチャネル切替え要求を送信し、ＳＩＦＳ６１２後に６１４においてＡＰ６０２はＡＣＫで応答する。次いで６１６において、ＡＰ６０２は、必要なバックオフ待機するとともに、受信したＴＤＬＳチャネル切替え要求６１０への応答を準備する。次いで６１８において、ＡＰ６０２はＳＴＡ６０４にＴＤＬＳチャネル切替え応答を送信する。ＳＴＡ６０４は、６２０においてＳＩＦＳ待機し、その後、６２２においてＡＰ６０２にＡＣＫを返信する。ＡＣＫ６２２を受信した後、ＡＰ６０２は、ＳＴＡ６０４の保留中のフレームを６０ＧＨｚ  ＭＡＣに転送することができる。６０ＧＨｚ  ＭＡＣは、ベースチャネルＭＡＣとは異なるチャネルアクセス規則を使用することができる。
【００５３】
ＡＰ６０２がチャネル切替え６２４に対するＳＴＡ６０４要求を受け付けたと仮定すると、次いで６２４において、ＳＴＡ６０４は、切替え時間６２６中に、６０ＧＨｚチャネル２１０上で動作することに切り替える。ＡＰ６０２はベースチャネル２１２と６０ＧＨｚチャネル２１０の両方の上で動作することができ、したがってＡＰ６０２はチャネルを切り替える必要がない。代わりに、ＳＴＡ６０４が６２４においてチャネルを切り替え、プローブ時間６２８待機し、バックオフ６３０待機する間、ＡＰ６０２は遅延６３４待機する。ＡＰ６０２がＳＴＡ６０４に送信することを望む場合、遅延６３４は切替え時間６２６程度に短くすることができる。次いで、６０ＧＨｚチャネル２１０上での最初の送信６３２が行われる。次いで、ＡＰ６０２またはＳＴＡ６０４のいずれかが、６０ＧＨｚチャネル２１０上での最初の送信６３２を送信することができる。代替的に、ＳＴＡ６０４は、ＳＴＡ６０４が首尾よく６０ＧＨｚチャネル２１０に移行したことを指示するために６０ＧＨｚチャネル２１０上で最初の送信６３２またはハロー信号を送信することができる。
【００５４】
図７に、加入者局（ＳＴＡ）７０４とアクセスポイント（ＡＰ）７０２との間の送信方式のためのシステム７００であって、ＳＴＡ７０４がＶＨＴチャネル切替え要求７１０を使用してベースチャネル２１２から６０ＧＨｚチャネル２１０へのチャネル切替え７２４をシグナリングする、システム７００を示す。７０８において、ＳＴＡ７０４は、最初に、必要なバックオフ待機する。次いで７１０において、ＳＴＡ７０４はＡＰ７０２にＶＨＴチャネル切替え要求を送信する。ＶＨＴチャネル切替え要求７１０を受信すると、ＡＰ７０２は、７１２においてＳＩＦＳ待機し、その後、７１４においてＳＴＡ７０４にＡＣＫを送信する。次いで７２４において、ＳＴＡ７０４は、切替え時間７２６中にベースチャネル２１２から６０ＧＨｚチャネル２１０に切り替える。切替え時間７２６の後に、プローブ時間７２８およびバックオフ７３０が続く。７３４において、ＡＰ７０２は、ＳＴＡ７０４が切替え時間７２６とプローブ時間７２８とバックオフ７３０とを完了するまで遅延し、その後、ＳＴＡ７０４は６０ＧＨｚチャネル２１０上での最初の送信７３２を送信する。切替え時間７２６が満了した後、ＡＰ７０２はＳＴＡ７０４に最初の送信７３２を送信することができる。ＡＰ７０２は、最初の送信７３２を送信する前に、切替え時間７２６が満了した後に追加のバックオフ７３０待機するように要求されることがある。
【００５５】
図８に、加入者局（ＳＴＡ）８０４とアクセスポイント（ＡＰ）８０２との間の送信方式のためのシステム８００であって、ＳＴＡ８０２がＴＤＬＳチャネル切替え要求８１０を使用してベースチャネル２１２から６０ＧＨｚチャネル２１０へのチャネル切替え８２４をシグナリングする、システム８００を示す。８０８において、ＡＰ８０２は、最初に、必要なバックオフ時間待機する。次いで８１０において、ＡＰ８０２はＳＴＡ８０４にＴＤＬＳチャネル切替え要求を送信し、ＳＩＦＳ８１２後に８１４においてＳＴＡ８０４はＡＣＫで応答する。次いで８１６において、ＳＴＡ８０４は、必要なバックオフ待機するとともに、受信したＴＤＬＳチャネル切替え要求８１０への応答を準備する。次いで８１８において、ＳＴＡ８０４はＡＰ８０２にＴＤＬＳチャネル切替え応答を送信する。ＡＰ８０２は、８２０においてＳＩＦＳ待機し、その後、８２２においてＳＴＡ８０４にＡＣＫを返信する。ＡＣＫ８２２を送信した後、ＡＰ８０２は、ＳＴＡ８０４の保留中のフレームを６０ＧＨｚ  ＭＡＣに転送することができる。図６に関して上記で説明したように、６０ＧＨｚ  ＭＡＣは、ベースチャネルＭＡＣとは異なるチャネルアクセス規則を使用することができる。
【００５６】
ＳＴＡ８０４がチャネル切替えに対するＡＰ８０２要求を受け付けたと仮定すると、次いで８２４において、ＳＴＡ８０４は、切替え時間８２６中に、６０ＧＨｚチャネル２１０上で動作することに切り替える。ＡＰ８０２は、ベースチャネル２１２と６０ＧＨｚチャネル２１０の両方の上で同時に動作することができ、したがってＡＰ８０２にチャネル切替えは必要とされない。代わりに、ＳＴＡ８０４が８２４においてチャネルを切り替える間、ＡＰ８０２は遅延８３４待機し、その後、ＡＰ８０２からＳＴＡ８０４への最初の送信８３２が行われる。ＡＰ８０２が切替え時間８２６後に最初の送信８３２を送信しない場合、ＳＴＡ８０４はプローブ時間８２８およびバックオフ８３０待機し、その後、ＳＴＡ８０２は６０ＧＨｚチャネル２１０上での最初の送信８３２を送信する。次いで、ＡＰ８０２またはＳＴＡ８０４のいずれかが、６０ＧＨｚチャネル２１０上での最初の送信８３２を送信することができる。代替的に、ＳＴＡ８０４は、ＳＴＡ８０４が首尾よく６０ＧＨｚチャネル２１０に切り替わったことを指示するために６０ＧＨｚチャネル２１０上で最初の送信８３２またはハロー信号を送信することができる。
【００５７】
図９に、加入者局（ＳＴＡ）９０４とアクセスポイント（ＡＰ）９０２との間の送信方式のためのシステム９００であって、ＳＴＡ９０２がＶＨＴチャネル切替え要求９１０を使用してベースチャネル２１２から６０ＧＨｚチャネル２１０へのチャネル切替え９２４をシグナリングする、システム９００を示す。９０８において、ＡＰ９０２は、最初に、必要なバックオフ待機する。次いで９１０において、ＡＰ９０２はＳＴＡ９０４にＶＨＴチャネル切替え要求を送信する。ＶＨＴチャネル切替え要求９１０を受信すると、ＳＴＡ９０４は、９１２においてＳＩＦＳ待機し、その後、９１４においてＡＰ９０２にＡＣＫを送信する。次いで９２４において、ＳＴＡ９０４は、切替え時間９２６中にベースチャネル２１２から６０ＧＨｚチャネル２１０に切り替える。切替え時間９２６の後に、プローブ時間９２８およびバックオフ９３０が続く。少なくとも切替え時間９２６の長さである遅延９３４後に、ＡＰ９０２はＳＴＡ９０４に最初の送信９３２を送信する。ＳＴＡ９０４がチャネル切替え９２４を完了し、次いでプローブ時間９２８およびバックオフ９３０待機した後にのみ、ＳＴＡ９０４は最初の送信９３２を送信することができる。
【００５８】
図１０は、加入者局ＳＴＡ１  ４０４がＴＬＤＳチャネル切替え要求４１０を使用してベースチャネル２１２上で加入者局ＳＴＡ２  ４０６と通信することから６０ＧＨｚチャネル２１０上でＳＴＡ２  ４０６と通信することへの切替えをトリガする方法１０００を示す流れ図である。１００２において、ＳＴＡ１  ４０４は、最初に、ＳＴＡ２  ４０６にＴＤＬＳチャネル切替え要求４１０を送信する。次いで、ＳＴＡ１  ４０４は、１００４においてＡＣＫ４１４を受信し、次いで、１００６においてＳＴＡ２  ４０６からＴＤＬＳチャネル切替え応答４１８を受信する。次いで１００８において、ＳＴＡ１  ４０４はＳＴＡ２  ４０６にＡＣＫ４２２を送信する。次いで１０１０において、ＳＴＡ１  ４０４は６０ＧＨｚチャネル２１０上で動作することに切り替える。次いで１０１２において、ＳＴＡ１  ４０４は、６０ＧＨｚチャネル２１０上での最初の送信４３２を送信または受信する。
【００５９】
上述の図１０の方法１０００は、図１１に示すミーンズプラスファンクションブロック１１００に対応する様々な（１つまたは複数の）ハードウェアおよび／またはソフトウェア構成要素および／またはモジュールによって実行できる。言い換えれば、図１０に示すブロック１００２〜１０１２は、図１１に示すミーンズプラスファンクションブロック１１０２〜１１１２に対応する。
【００６０】
図１２は、加入者局ＳＴＡ１  ５０４が超高スループット（ＶＨＴ）チャネル切替え要求５１０を使用してベースチャネル２１２上で加入者局ＳＴＡ２  ５０６と通信することから６０ＧＨｚチャネル２１０上でＳＴＡ２  ５０６と通信することへの切替えをトリガする方法１２００を示す流れ図である。１２０２において、ＳＴＡ１  ５０４は、最初に、ＳＴＡ２  ５０６にＶＨＴチャネル切替え要求５１０を送信する。次いで１２０４において、ＳＴＡ１  ５０４はＳＴＡ２  ５０６からＡＣＫ５１４を受信する。１２０６において、ＳＴＡ１  ５０４は６０ＧＨｚチャネル２１０上で動作することに切り替える。次いで１２０８において、ＳＴＡ１  ５０４は、６０ＧＨｚチャネル２１０上での最初の送信５３２を送信または受信する。
【００６１】
上述の図１２の方法１２００は、図１３に示すミーンズプラスファンクションブロック１３００に対応する様々な（１つまたは複数の）ハードウェアおよび／またはソフトウェア構成要素および／またはモジュールによって実行できる。言い換えれば、図１２に示すブロック１２０２〜１２０８は、図１３に示すミーンズプラスファンクションブロック１３０２〜１３０８に対応する。
【００６２】
図１４は、加入者局ＳＴＡ６０４が、ＴＤＬＳチャネル切替え要求６１０を使用してベースチャネル２１２上でＡＰ６０２と通信することから６０ＧＨｚチャネル２１０上でＡＰ６０２と通信することに切り替えるようにアクセスポイントＡＰ６０２によってトリガされる方法１４００を示す流れ図である。１４０２において、ＳＴＡ６０４は、最初に、ＡＰ６０２からＴＤＬＳチャネル切替え要求６１０を受信する。次いで１４０４において、ＳＴＡ６０４はＡＣＫ６１４を送信する。次に１４０６において、ＳＴＡ６０４はＡＰ６０２にＴＤＬＳチャネル切替え応答６１８を送信する。１４０８においてＡＰ６０２からＡＣＫ６２２を受信すると、ＳＴＡ６０４は、１４１０において６０ＧＨｚチャネル２１０上で動作することに切り替える。次いで１４１２において、ＳＴＡ６０４は、６０ＧＨｚチャネル２１０上での最初の送信６３２を送信または受信する。
【００６３】
上述の図１４の方法１４００は、図１５に示すミーンズプラスファンクションブロック１５００に対応する様々な（１つまたは複数の）ハードウェアおよび／またはソフトウェア構成要素および／またはモジュールによって実行できる。言い換えれば、図１４に示すブロック１４０２〜１４１２は、図１５に示すミーンズプラスファンクションブロック１５０２〜１５１２に対応する。
【００６４】
図１６は、加入者局ＳＴＡ７０４が、超高スループット（ＶＨＴ）チャネル切替え要求７１０を使用してベースチャネル２１２上でＡＰ７０２と通信することから６０ＧＨｚチャネル２１０上でＡＰ７０２と通信することに切り替えるようにアクセスポイントＡＰ７０２によってトリガされる方法１６００を示す流れ図である。１６０２において、ＳＴＡ７０４は、最初に、ＡＰ７０２からＶＨＴチャネル切替え要求７１０を受信する。次いで、ＳＴＡ７０４は、１６０４においてＡＰ７０２にＡＣＫ７１４を送信し、１６０６において６０ＧＨｚチャネル２１０上で動作することに切り替える。次いで１６０８において、ＳＴＡ７０４は、６０ＧＨｚチャネル２１０上での最初の送信７３２を送信または受信する。
【００６５】
上述の図１６の方法１６００は、図１７に示すミーンズプラスファンクションブロック１７００に対応する様々な（１つまたは複数の）ハードウェアおよび／またはソフトウェア構成要素および／またはモジュールによって実行できる。言い換えれば、図１６に示すブロック１６０２〜１６０８は、図１７に示すミーンズプラスファンクションブロック１７０２〜１７０８に対応する。
【００６６】
図１８は、アクセスポイントＡＰ８０２が、ＴＤＬＳチャネル切替え要求８１０を使用してベースチャネル２１２上でＳＴＡ８０４と通信することから６０ＧＨｚチャネル２１０上でＳＴＡ８０４と通信することに切り替えるように加入者局ＳＴＡ８０４によってトリガされる方法１８００を示す流れ図である。１８０２において、ＳＴＡ８０２は、最初に、ＳＴＡ８０４からＴＤＬＳチャネル切替え要求８１０を受信する。次いで１８０４において、ＡＰ８０２はＡＣＫ８１４を送信する。次に１８０６において、ＡＰ８０２はＳＴＡ８０４にＴＤＬＳチャネル切替え応答８１８を送信する。次いで１８０８において、ＡＰ８０２はＳＴＡ８０４からＡＣＫ８２２を受信する。次いで１８１０において、ＡＰ１０２は、６０ＧＨｚチャネル２１０上での最初の送信８３２を送信または受信する。
【００６７】
上述の図１８の方法１８００は、図１９に示すミーンズプラスファンクションブロック１９００に対応する様々な（１つまたは複数の）ハードウェアおよび／またはソフトウェア構成要素および／またはモジュールによって実行できる。言い換えれば、図１８に示すブロック１８０２〜１８１０は、図１９に示すミーンズプラスファンクションブロック１９０２〜１９１０に対応する。
【００６８】
図２０は、アクセスポイントＡＰ９０２が、ＶＨＴチャネル切替え要求９１０を使用してベースチャネル２１２上でＳＴＡ９０４と通信することから６０ＧＨｚチャネル２１０上でＳＴＡ９０４と通信することに切り替えるように加入者局ＳＴＡ９０４によってトリガされる方法２０００を示す流れ図である。２００２において、ＳＴＡ９０２は、最初に、ＳＴＡ９０４からＶＨＴチャネル切替え要求９１０を受信する。次いで２００４において、ＡＰ９０２はＳＴＡ９０４にＡＣＫ９１４を送信する。次いで２００６において、ＡＰ９０２は、６０ＧＨｚチャネル２１０上での最初の送信９３２を送信または受信する。
【００６９】
上述の図２０の方法２０００は、図２１に示すミーンズプラスファンクションブロック２１００に対応する様々な（１つまたは複数の）ハードウェアおよび／またはソフトウェア構成要素および／またはモジュールによって実行できる。言い換えれば、図２０に示すブロック２００２〜２００６は、図２１に示すミーンズプラスファンクションブロック２１０２〜２１０６に対応する。
【００７０】
図２２に、ワイヤレスデバイス２２０１内に含めることができるいくつかの構成要素を示す。ワイヤレスデバイス２２０１は加入者局またはアクセスポイントとすることができる。
【００７１】
ワイヤレスデバイス２２０１はプロセッサ２２０３を含む。プロセッサ２２０３は、汎用シングルまたはマルチチップマイクロプロセッサ（たとえば、ＡＲＭ）、特殊目的マイクロプロセッサ（たとえば、デジタル信号プロセッサ（ＤＳＰ））、マイクロコントローラ、プログラマブルゲートアレイなどとすることができる。プロセッサ２２０３は中央処理ユニット（ＣＰＵ）と呼ばれることがある。図２２のワイヤレスデバイス２２０１には単一のプロセッサ２２０３のみが示されているが、代替構成では、プロセッサ（たとえば、ＡＲＭとＤＳＰ）の組合せを使用することができる。
【００７２】
ワイヤレスデバイス２２０１はまたメモリ２２０５を含む。メモリ２２０５は、電子情報を記憶することが可能な任意の電子構成要素とすることができる。メモリ２２０５は、ランダムアクセスメモリ（ＲＡＭ）、読取り専用メモリ（ＲＯＭ）、磁気ディスク記憶メディア、光記憶メディア、ＲＡＭ中のフラッシュメモリデバイス、プロセッサに含まれるオンボードメモリ、ＥＰＲＯＭメモリ、ＥＥＰＲＯＭメモリ、レジスタなど、およびそれらの組合せとして実施できる。
【００７３】
データ２２０７および命令２２０９はメモリ２２０５に記憶できる。命令２２０９は、本明細書で開示する方法を実装するためにプロセッサ２２０３によって実行可能である。命令２２０９を実行することは、メモリ２２０５に記憶されたデータ２２０７の使用を含むことができる。
【００７４】
ワイヤレスデバイス２２０１は、ワイヤレスデバイス２２０１と遠隔地との間の信号の送信および受信を可能にするために送信機２２１１および受信機２２１３を含むこともできる。送信機２２１１および受信機２２１３は、トランシーバ２２１５と総称されることがある。アンテナ２２１７はトランシーバ２２１５に電気的に結合できる。ワイヤレスデバイス２２０１はまた、複数の送信機、複数の受信機、複数のトランシーバ、および／または複数のアンテナを含むことができる（図示せず）。
【００７５】
ワイヤレスデバイス２２０１の様々な構成要素は、パワーバス、制御信号バス、ステータス信号バス、データバスなどを含み得る、１つまたは複数のバスによって互いに結合できる。明快のために、図２２では様々なバスをバスシステム２２１９として示してある。
【００７６】
本明細書に記載の技法は、直交多重化方式に基づく通信システムを含む様々な通信システムに使用できる。そのような通信システムの例には、直交周波数分割多元接続（ＯＦＤＭＡ）システム、シングルキャリア周波数分割多元接続（ＳＣ−ＦＤＭＡ）システムなどがある。ＯＦＤＭＡシステムは、全システム帯域幅を複数の直交サブキャリアに区分する変調技法である、直交周波数分割多重（ＯＦＤＭ）を利用する。これらのサブキャリアは、トーン、ビンなどと呼ぶこともできる。ＯＦＤＭでは、各サブキャリアはデータで独立して変調できる。ＳＣ−ＦＤＭＡシステムは、システム帯域幅にわたって分散されたサブキャリア上で送信するためのインターリーブされたＦＤＭＡ（ＩＦＤＭＡ）、隣接するサブキャリアのブロック上で送信するための局所ＦＤＭＡ（ＬＦＤＭＡ）、または隣接するサブキャリアの複数のブロック上で送信するための拡張ＦＤＭＡ（ＥＦＤＭＡ）を利用することができる。一般に、変調シンボルは、ＯＦＤＭでは周波数領域で、ＳＣ−ＦＤＭＡでは時間領域で送信される。
【００７７】
「判断」という用語は、多種多様なアクションを包含し、したがって、「判断」は、計算、算出、処理、導出、調査、探索（たとえば、テーブル、データベースまたは別のデータ構造での探索）、確認などを含むことができる。また、「判断」は、受信（たとえば、情報を受信すること）、アクセス（たとえば、メモリ中のデータにアクセスすること）などを含むことができる。また、「判断」は、解決、選択、選出、確立などを含むことができる。
【００７８】
「に基づいて」という句は、別段に明示されていない限り、「のみに基づいて」を意味しない。言い換えれば、「に基づいて」という句は、「のみに基づいて」と「に少なくとも基づいて」の両方を表す。
【００７９】
「プロセッサ」という用語は、汎用プロセッサ、中央処理ユニット（ＣＰＵ）、マイクロプロセッサ、デジタル信号プロセッサ（ＤＳＰ）、コントローラ、マイクロコントローラ、状態機械などを包含するものと広く解釈されたい。いくつかの状況下では、「プロセッサ」は、特定用途向け集積回路（ＡＳＩＣ）、プログラマブル論理デバイス（ＰＬＤ）、フィールドプログラマブルゲートアレイ（ＦＰＧＡ）などを指すことがある。「プロセッサ」という用語は、処理デバイスの組合せ、たとえば、ＤＳＰとマイクロプロセッサとの組合せ、複数のマイクロプロセッサ、ＤＳＰコアと連携する１つまたは複数のマイクロプロセッサ、あるいは他のそのような構成を指すことができる。
【００８０】
「メモリ」という用語は、電子情報を記憶することが可能な任意の電子構成要素を包含するものと広く解釈されたい。メモリという用語は、ランダムアクセスメモリ（ＲＡＭ）、読取り専用メモリ（ＲＯＭ）、不揮発性ランダムアクセスメモリ（ＮＶＲＡＭ）、プログラマブル読取り専用メモリ（ＰＲＯＭ）、消去可能プログラマブル読取り専用メモリ（ＥＰＲＯＭ）、電気的消去可能ＰＲＯＭ（ＥＥＰＲＯＭ）、フラッシュメモリ、磁気または光学データ記憶装置、レジスタなど、様々なタイプのプロセッサ可読媒体を指すことができる。プロセッサがメモリから情報を読み取り、および／または情報をメモリに書き込むことができる場合、メモリはプロセッサと電子通信していると言われる。プロセッサに一体化されたメモリは、プロセッサと電子通信している。
【００８１】
「命令」および「コード」という用語は、任意のタイプの（１つまたは複数の）コンピュータ可読ステートメントを含むものと広く解釈されたい。たとえば、「命令」および「コード」という用語は、１つまたは複数のプログラム、ルーチン、サブルーチン、関数、プロシージャなどを指すことができる。「命令」および「コード」は、単一のコンピュータ可読ステートメントまたは多くのコンピュータ可読ステートメントを備えることができる。
【００８２】
本明細書で説明する機能は、ハードウェア、ソフトウェア、ファームウェア、またはそれらの組合せで実装できる。ソフトウェアで実装した場合、機能は１つまたは複数の命令としてコンピュータ可読媒体上に記憶できる。「コンピュータ可読媒体」という用語は、コンピュータによってアクセスできる任意の媒体を指す。限定ではなく例として、コンピュータ可読媒体は、ＲＡＭ、ＲＯＭ、ＥＥＰＲＯＭ、ＣＤ−ＲＯＭ、または他の光ディスク記憶デバイス、磁気ディスク記憶デバイスもしくは他の磁気記憶デバイス、あるいは命令またはデータ構造の形態で所望のプログラムコードを担持または記憶するために使用でき、コンピュータによってアクセスできる任意の他の媒体を備えることができる。本明細書では、ディスク（disk）およびディスク（disc）は、コンパクトディスク（disc）（ＣＤ）、レーザディスク（disc）、光ディスク（disc）、デジタル多用途ディスク（disc）（ＤＶＤ）、フロッピー（登録商標）ディスク（disk）およびＢｌｕ−ｒａｙ（登録商標）ディスク（disc）を含み、この場合、ディスク（disk）は、通常、データを磁気的に再生し、ディスク（disc）はデータをレーザで光学的に再生する。
【００８３】
ソフトウェアまたは命令はまた、伝送媒体を介して送信できる。たとえば、ソフトウェアが、同軸ケーブル、光ファイバケーブル、ツイストペア、デジタル加入者回線（ＤＳＬ）、または赤外線、無線、およびマイクロ波などのワイヤレス技術を使用して、ウェブサイト、サーバ、または他のリモートソースから送信される場合、同軸ケーブル、光ファイバケーブル、ツイストペア、ＤＳＬ、または赤外線、無線、およびマイクロ波などのワイヤレス技術は、伝送媒体の定義に含まれる。
【００８４】
本明細書で開示する方法は、説明した方法を達成するための１つまたは複数のステップまたはアクションを備える。本方法のステップおよび／またはアクションは、特許請求の範囲の範囲から逸脱することなく互いに交換することができる。すなわち、本明細書で説明する方法の適切な動作のためにステップまたはアクションの特定の順序が必要とされない限り、特定のステップおよび／またはアクションの順序および／または使用は、特許請求の範囲の範囲を逸脱することなく修正することができる。
【００８５】
さらに、図１０、図１２、図１４、図１６、図１８および図２０によって示されたものなど、本明細書で説明する方法および技法を実行するためのモジュールおよび／または他の適切な手段は、デバイスによってダウンロードおよび／または他の方法で取得できることを諒解されたい。たとえば、デバイスは、本明細書で説明する方法を実行するための手段の転送を可能にするために、サーバに結合できる。代替的に、本明細書で説明する様々な方法は、記憶手段をデバイスに結合するかまたは与えるときにデバイスが様々な方法を獲得することができるように、記憶手段（たとえば、ランダムアクセスメモリ（ＲＡＭ）、読取り専用メモリ（ＲＯＭ）、コンパクトディスク（disc）（ＣＤ）またはフロッピーディスク（disk）などの物理的記憶媒体など）によって与えることができる。さらに、本明細書で説明する方法および技法をデバイスに提供するための任意の他の適切な技法を利用することができる。
【００８６】
特許請求の範囲は、上記の正確な構成および構成要素に限定されないことを理解されたい。特許請求の範囲の範囲を逸脱することなく、本明細書で説明したシステム、方法および装置の構成、動作および詳細において、様々な改変、変更および変形を行うことができる。
以下に、本願出願当初の特許請求の範囲に記載された発明を付記する。
［１］  異なる帯域上のチャネル間で切り替えるための方法であって、
ベースチャネル上でワイヤレスデバイスと通信することと、
前記ワイヤレスデバイスにチャネル切替え要求を送信することと、
前記ワイヤレスデバイスから確認応答を受信することと、
前記ワイヤレスデバイスと通信するために６０ＧＨｚチャネルに切り替えることと
を備える方法。
［２］  前記ワイヤレスデバイスがアクセスポイント（ＡＰ）である、［１］の方法。
［３］  前記ワイヤレスデバイスが加入者局（ＳＴＡ）である、［１］の方法。
［４］  前記方法がアクセスポイント（ＡＰ）によって実行される、［１］の方法。
［５］  前記方法が加入者局（ＳＴＡ）によって実行される、［１］の方法。
［６］  前記６０ＧＨｚチャネル上で通信することに切り替えることが、アクセスポイント（ＡＰ）によってトリガされる、［１］の方法。
［７］  前記６０ＧＨｚチャネル上で通信することに切り替えることが、加入者局（ＳＴＡ）によってトリガされる、［１］の方法。
［８］  前記６０ＧＨｚチャネルが機能しない場合、前記ベースチャネルに切り替え復帰することをさらに備える、［１］の方法。
［９］  前記６０ＧＨｚチャネルの物理レイヤ（ＰＨＹ）メトリックに基づいて前記ベースチャネルに切り替え復帰することをさらに備える、［１］の方法。
［１０］  あらかじめ定義されたウィンドウ内で、成功したフレーム交換が前記６０ＧＨｚチャネル上で行われなかった場合、前記ベースチャネルに切り替え復帰することをさらに備える、［１］の方法。
［１１］  前記６０ＧＨｚチャネルに切り替える前に前記６０ＧＨｚチャネルのチャネル特性を判断するために前記６０ＧＨｚチャネル上でテストフレームを送信することをさらに備える、［５］の方法。
［１２］  前記６０ＧＨｚチャネル上で前記ワイヤレスデバイスにデータを送信することをさらに備える、［１］の方法。
［１３］  前記ベースチャネルが、２．４ＧＨｚで動作する８０２．１１ＷＬＡＮである、［１］の方法。
［１４］  前記ベースチャネルが、５ＧＨｚで動作する８０２．１１ＷＬＡＮである、［１］の方法。
［１５］  前記チャネル切替え要求がトンネルドダイレクトリンクセットアップ（ＴＤＬＳ）チャネル切替え応答を備える、［１］の方法。
［１６］  前記チャネル切替え要求が超高スループット（ＶＨＴ）チャネル切替え要求を備える、［１］の方法。
［１７］  前記６０ＧＨｚチャネル上で前記ワイヤレスデバイスからデータを受信することをさらに備える、［１］の方法。
［１８］  前記ワイヤレスデバイスからチャネル切替え応答を受信することをさらに備える、［１］の方法。
［１９］  前記ワイヤレスデバイスに、前記チャネル切替え応答の受信に確認応答する確認応答を送信することをさらに備える、［１８］の方法。
［２０］  前記６０ＧＨｚチャネル上で加入者局と通信する前に少なくとも切替え時間待機することをさらに備え、前記切替え時間が、切替えが行われるためのあらかじめ定義された時間期間である、［１］の方法。
［２１］  前記切替え時間後のあらかじめ定義された時間期間内に前記６０ＧＨｚチャネル上で通信が開始されないとき、前記ベースチャネルに切り替え復帰することをさらに備える、［２０］の方法。
［２２］  前記６０ＧＨｚチャネル上で前記加入者局にハローフレームを送信する前に少なくとも切替え時間待機することをさらに備え、前記切替え時間が、切替えが行われるためのあらかじめ定義された時間期間である、［１］の方法。
［２３］  アクセスポイント（ＡＰ）と通信する前に切替え時間、プローブ時間、およびバックオフ時間待機することをさらに備える、［５］の方法。
［２４］  前記ワイヤレスデバイスとの不良接続が検出されたとき、物理レイヤ（ＰＨＹ）信号を送信することをさらに備える、［１］の方法。
［２５］  異なる帯域上のチャネル間で切り替えるための方法であって、
ベースチャネル上および６０ＧＨｚチャネル上でワイヤレスデバイスと通信することと、
前記ベースチャネル上で前記ワイヤレスデバイスから継続フレームが受信された場合、前記ベースチャネル上で前記ワイヤレスデバイスと通信することのみに切り替えることと
を備える方法。
［２６］  異なる帯域上のチャネル間で切り替えるための方法であって、
ベースチャネル上でワイヤレスデバイスと通信することと、
前記ワイヤレスデバイスからチャネル切替え要求を受信することと、
前記ワイヤレスデバイスに確認応答を送信することと、
前記ワイヤレスデバイスにチャネル切替え応答フレームを送信することと、
前記ワイヤレスデバイスから確認応答を受信することと、
前記ワイヤレスデバイスと通信するために６０ＧＨｚチャネルに切り替えることと
を備える方法。
［２７］  前記ワイヤレスデバイスがアクセスポイント（ＡＰ）である、［２６］の方法。
［２８］  前記ワイヤレスデバイスが加入者局（ＳＴＡ）である、［２６］の方法。
［２９］  前記方法がアクセスポイント（ＡＰ）によって実行される、［２６］の方法。
［３０］  前記方法が加入者局（ＳＴＡ）によって実行される、［２６］の方法。
［３１］  前記６０ＧＨｚチャネル上で通信することに切り替えることが、アクセスポイント（ＡＰ）によってトリガされる、［２６］の方法。
［３２］  前記６０ＧＨｚチャネル上で通信することに切り替えることが、加入者局（ＳＴＡ）によってトリガされる、［２６］の方法。
［３３］  前記６０ＧＨｚチャネルが機能しない場合、前記ベースチャネルに切り替え復帰することをさらに備える、［２６］の方法。
［３４］  前記６０ＧＨｚチャネルの物理レイヤ（ＰＨＹ）メトリックに基づいて前記ベースチャネルに切り替え復帰することをさらに備える、［２６］の方法。
［３５］  あらかじめ定義されたウィンドウ内で、成功したフレーム交換が前記６０ＧＨｚチャネル上で行われなかった場合、前記ベースチャネルに切り替え復帰することをさらに備える、［２６］の方法。
［３６］  前記６０ＧＨｚチャネル上で前記ワイヤレスデバイスにデータを送信することをさらに備える、［２６］の方法。
［３７］  前記ベースチャネルが、２．４ＧＨｚで動作する８０２．１１ＷＬＡＮである、［２６］の方法。
［３８］  前記ベースチャネルが、５ＧＨｚで動作する８０２．１１ＷＬＡＮである、［２６］の方法。
［３９］  前記チャネル切替え要求がトンネルドダイレクトリンクセットアップ（ＴＤＬＳ）チャネル切替え応答を備える、［２６］の方法。
［４０］  前記チャネル切替え要求が超高スループット（ＶＨＴ）チャネル切替え要求を備える、［２６］の方法。
［４１］  前記６０ＧＨｚチャネル上で前記ワイヤレスデバイスからデータを受信することをさらに備える、［２６］の方法。
［４２］  前記６０ＧＨｚチャネル上で加入者局と通信する前に少なくとも切替え時間待機することをさらに備え、前記切替え時間が、切替えが行われるためのあらかじめ定義された時間期間である、［２６］の方法。
［４３］  前記６０ＧＨｚチャネル上で前記加入者局にハローフレームを送信する前に少なくとも切替え時間待機することをさらに備え、前記切替え時間が、切替えが行われるためのあらかじめ定義された時間期間である、［２６］の方法。
［４４］  前記ベースチャネル上で前記ワイヤレスデバイスから継続フレームが受信された場合、前記ベースチャネル上で前記ワイヤレスデバイスと通信することに切り替え復帰することをさらに備える、［４３］の方法。
［４５］  前記ワイヤレスデバイスとの不良接続が検出されたとき、物理レイヤ（ＰＨＹ）信号を送信することをさらに備える、［２６］の方法。
［４６］  ワイヤレス通信システムにおいて異なる帯域上のチャネル間で切り替えるように構成された装置であって、
プロセッサと、
ベースチャネル上でワイヤレスデバイスと通信し、
前記ワイヤレスデバイスにチャネル切替え要求を送信し、
前記ワイヤレスデバイスから確認応答を受信し、
前記ワイヤレスデバイスと通信するために６０ＧＨｚチャネルに切り替える
ように構成された、前記プロセッサに結合される回路と
を備える装置。
［４７］  前記ワイヤレスデバイスがアクセスポイント（ＡＰ）である、［４６］の装置。
［４８］  前記ワイヤレスデバイスが加入者局（ＳＴＡ）である、［４６］の装置。
［４９］  前記装置がアクセスポイント（ＡＰ）である、［４６］の装置。
［５０］  前記装置が加入者局（ＳＴＡ）である、［４６］の装置。
［５１］  ワイヤレス通信システムにおいて異なる帯域上のチャネル間で切り替えるように構成された装置であって、
プロセッサと、
ベースチャネル上でワイヤレスデバイスと通信し、
前記ワイヤレスデバイスからチャネル切替え要求を受信し、
前記ワイヤレスデバイスに確認応答を送信し、
前記ワイヤレスデバイスと通信するために６０ＧＨｚチャネルに切り替える
ように構成された、前記プロセッサに結合される回路と
を備える装置。
［５２］  前記ワイヤレスデバイスがアクセスポイント（ＡＰ）である、［５１］の装置。
［５３］  前記ワイヤレスデバイスが加入者局（ＳＴＡ）である、［５１］の装置。
［５４］  前記装置がアクセスポイント（ＡＰ）である、［５１］の装置。
［５５］  前記装置が加入者局（ＳＴＡ）である、［５１］の装置。
［５６］  ワイヤレス通信システムにおいて異なる帯域上のチャネル間で切り替えるように構成された装置であって、
ベースチャネル上でワイヤレスデバイスと通信するための手段と、
前記ワイヤレスデバイスにチャネル切替え要求を送信するための手段と、
前記ワイヤレスデバイスから確認応答を受信するための手段と、
前記ワイヤレスデバイスと通信するために６０ＧＨｚチャネルに切り替えるための手段と
を備える装置。
［５７］  ワイヤレス通信システムにおいて異なる帯域上のチャネル間で切り替えるように構成された装置であって、
ベースチャネル上でワイヤレスデバイスと通信するための手段と、
前記ワイヤレスデバイスからチャネル切替え要求を受信するための手段と、
前記ワイヤレスデバイスに確認応答を送信するための手段と、
前記ワイヤレスデバイスと通信するために６０ＧＨｚチャネルに切り替えるための手段と
を備える装置。
［５８］  ワイヤレス通信システムにおいて異なる帯域上のチャネル間で切り替えるためのコンピュータプログラム製品であって、その上に命令を有するコンピュータ可読媒体を備え、前記命令が、
ベースチャネル上でワイヤレスデバイスと通信するためのコードと、
前記ワイヤレスデバイスにチャネル切替え要求を送信するためのコードと、
前記ワイヤレスデバイスから確認応答を受信するためのコードと、
前記ワイヤレスデバイスと通信するために６０ＧＨｚチャネルに切り替えるためのコードと
を備える、コンピュータプログラム製品。
［５９］  ワイヤレス通信システムにおいて異なる帯域上のチャネル間で切り替えるためのコンピュータプログラム製品であって、その上に命令を有するコンピュータ可読媒体を備え、前記命令が、
ベースチャネル上でワイヤレスデバイスと通信するためのコードと、
前記ワイヤレスデバイスからチャネル切替え要求を受信するためのコードと、
前記ワイヤレスデバイスに確認応答を送信するためのコードと、
前記ワイヤレスデバイスと通信するために６０ＧＨｚチャネルに切り替えるためのコードと
を備える、コンピュータプログラム製品。
［６０］  ６０ＧＨｚ帯域をテストするための方法であって、
ベースチャネル上でワイヤレスデバイスと通信することと、
省電力モードを示す信号を送信することと、
６０ＧＨｚチャネルに切り替えることと、
前記ワイヤレスデバイスにテスト信号を送信することと
を備える方法。
［６１］  前記ワイヤレスデバイスがアクセスポイント（ＡＰ）である、［６０］の方法。
［６２］  前記テスト信号がロバスト物理レイヤ（ＰＨＹ）モードを使用する、［６０］の方法。
［６３］  異なる帯域上のチャネル間で切り替えるための方法であって、
６０ＧＨｚチャネル上でワイヤレスデバイスと通信することと、
ベースチャネルに切り替えることと、
前記ワイヤレスデバイスに継続フレームを送信することと
を備える方法。
［６４］  前記切り替えることが前記６０ＧＨｚチャネルのパフォーマンスメトリックに基づく、［６３］の方法。
［６５］  前記６０ＧＨｚチャネル上での前記通信が失われたとき、前記切り替えることが行われる、［６３］の方法。
［６６］  前記通信が前記ベースチャネル上で継続される、［６５］の方法。
［６７］  前記通信が直接リンクを介して行われる、［６５］の方法。
［６８］  異なる帯域上のチャネル間で切り替えるための方法であって、
６０ＧＨｚチャネル上でワイヤレスデバイスと通信することと、
前記ワイヤレスデバイスにチャネル切替え要求を送信することと、
前記ワイヤレスデバイスから確認応答を受信することと、
ベースチャネルに切り替えることと
を備える方法。
［６９］  前記切り替えることが前記６０ＧＨｚチャネルの物理レイヤ（ＰＨＹ）メトリックに基づく、［６８］の方法。
［７０］  前記切り替えることが前記６０ＧＨｚチャネルのパフォーマンスメトリックに基づく、［６８］の方法。
［７１］  前記チャネル切替え要求フレームがロバストＰＨＹモードを使用して送信される、［６８］の方法。
【図１】
0005389922.tif 000002
【図２】
0005389922.tif 000003
【図３】
0005389922.tif 000004
【図４】
0005389922.tif 000005
【図５】
0005389922.tif 000006
【図６】
0005389922.tif 000007
【図７】
0005389922.tif 000008
【図８】
0005389922.tif 000009
【図９】
0005389922.tif 000010
【図１０】
0005389922.tif 000011
【図１１】
0005389922.tif 000012
【図１２】
0005389922.tif 000013
【図１３】
0005389922.tif 000014
【図１４】
0005389922.tif 000015
【図１５】
0005389922.tif 000016
【図１６】
0005389922.tif 000017
【図１７】
0005389922.tif 000018
【図１８】
0005389922.tif 000019
【図１９】
0005389922.tif 000020
【図２０】
0005389922.tif 000021
【図２１】
0005389922.tif 000022
【図２２】
0005389922.tif 000023